(57)【要約】【課題】播種作業を効率化でき、しかも土壌を強く保持できる土壌包装用フィルムおよび土壌包装体を提供する。【解決手段】本発明の土壌包装用フィルム１０は、生分解性樹脂を主成分として含む熱収縮性フィルムからなり、少なくとも１つ以上の孔１１が形成されている。本発明の土壌包装体１は、上記土壌包装用フィルム１０によって形成された袋状体の内部に土壌２０が充填され、熱収縮処理が施されている。【選択図】図２
2013192469.tif 000002
【特許請求の範囲】
【請求項１】
生分解性樹脂を主成分として含む熱収縮性フィルムからなり、少なくとも１つ以上の孔が形成されていることを特徴とする土壌包装用フィルム。
【請求項２】
請求項１に記載の土壌包装用フィルムによって形成された袋状体の内部に土壌が充填され、熱収縮処理が施されていることを特徴とする土壌包装体。
【発明の詳細な説明】
【技術分野】
【０００１】
本発明は、土壌包装用フィルムおよび該土壌包装用フィルムに土壌が包装された土壌包装体に関する。
【背景技術】
【０００２】
農業や造園において広範囲の土地に播種する際には、手作業では多大な労力を要するため、通常は機械を利用する。しかし、土地の形状によっては機械化に適さないこともあるため、機械を利用しなくても作業負担を減らせる播種方法が求められている。
特許文献１では、２枚以上の生分解性樹脂シートの間に種子を保持した植栽シートを作製し、その植栽シートを土壌に埋める方法が提案されている。しかし、特許文献１に記載の方法においても、植栽シートを土壌に埋める作業は必要であり、播種作業の負担を充分に軽減できない上に、植栽シートから種子が脱落するおそれがあった。
特許文献２には、苗を植え付けた培土ブロックを生分解性樹脂シートで巻いて形状を保持し、それをポットに収容する育苗方法が開示されている。しかし、この方法では、生分解性樹脂シートによる培土ブロックの保持力が弱く、生分解性樹脂シートに包まれた土壌が漏出することがあった。
【先行技術文献】
【特許文献】
【０００３】
【特許文献１】特開２００６−３３３７８６号公報
【特許文献２】特開２００５−６５０２号公報
【発明の概要】
【発明が解決しようとする課題】
【０００４】
本発明は、播種作業を効率化でき、しかも土壌を強く保持できる土壌包装用フィルムおよび土壌包装体を提供することを目的とする。
【課題を解決するための手段】
【０００５】
本発明の土壌包装用フィルムは、生分解性樹脂を主成分として含む熱収縮性フィルムからなり、少なくとも１つ以上の孔が形成されていることを特徴とする。
本発明の土壌包装体は、上記土壌包装用フィルムによって形成された袋状体の内部に土壌が充填され、熱収縮処理が施されていることを特徴とする。
【発明の効果】
【０００６】
本発明の土壌包装用フィルムおよび土壌包装体は、播種作業を効率化でき、しかも土壌を強く保持できる。
【図面の簡単な説明】
【０００７】
【図１】本発明の土壌包装フィルムの一実施形態を示す平面図である。
【図２】本発明の土壌包装体の一実施形態を示す斜視図である。
【発明を実施するための形態】
【０００８】
＜土壌包装用フィルム＞
本発明の土壌包装用フィルムの一実施形態について説明する。
図１に、本実施形態の土壌包装用フィルムを示す。本実施形態の土壌包装用フィルム１０は、生分解性樹脂を主成分として含む矩形状の熱収縮性フィルムからなり、多数の孔１１，１１・・・が、土壌包装用フィルム１０の短手方向中央にて、土壌包装用フィルム１０の長手方向と平行に一直線状に等間隔で形成されている。
ここで、本発明における「熱収縮性」とは、７０℃の熱風で１０秒間処理したときの熱収縮率が２０％以上のことである。
【０００９】
熱収縮性フィルムに主成分として含まれる生分解性樹脂としては、ポリ乳酸、ポリグリコール酸、ポリ（３−ヒドロキシブチレート）、ポリ（３−ヒドロキシブチレート・３−ヒドロキシバリレート）、ポリカプロラクトン、あるいはエチレングリコール、１，４−ブタンジオールなどの脂肪族ジオールとコハク酸、アジピン酸などの脂肪族ジカルボン酸よりなる脂肪族ポリエステル、さらにはポリ（ブチレンサクシネート・テレフタレート）、ポリ（ブチレンアジペート・テレフタレート）などの脂肪族ポリエステルと芳香族ポリエステルの共重合体、ポリビニルアルコールなどが挙げられる。
生分解性樹脂の質量平均分子量は、フィルム強度および成形加工性の両立の点から、１万〜１００万が好ましく、３万〜５０万がより好ましい。
【００１０】
土壌包装用フィルム１０には、必要に応じて、生分解性樹脂以外の他の成分が含まれてもよい。他の成分としては、例えば、造核剤、酸化防止剤、紫外線吸収剤、アンチブロッキング剤、滑剤、帯電防止剤、可塑剤、熱安定剤、顔料、染料、充填剤、ヒンダードアミン系光安定剤等が挙げられる。これらの中でも、加熱収縮特性の向上の点から、造核剤が含まれることが好ましい。造核剤が含まれる場合、その配合量は、生分解性樹脂１００質量部に対して、０．０１〜０．１質量部であることが好ましい。造核剤の含有量が前記下限値以上であれば、充分な加熱収縮特性が得られる。しかし、造核剤含有量が０．１質量部を超えても改善効果は頭打ちになる。
【００１１】
土壌包装用フィルム１０に、生分解性樹脂以外の他の成分が含まれる場合、生分解性の低下防止の点から、土壌包装用フィルム１０中の生分解性樹脂の含有量は９０質量以上であることが好ましく、９５質量％以上であることがより好ましい。
【００１２】
土壌包装用フィルム１０の長手方向の長さは１０ｃｍ〜１０ｍであることが好ましく、短手方向の長さは３ｃｍ〜３０ｃｍであることが好ましい。
土壌包装用フィルム１０の長手方向の長さが前記下限値以上であれば、土壌包装用フィルム１０から得られる土壌包装体を長くでき、播種作業をより効率化でき、前記上限値以下であれば、土壌包装用フィルム１０から得られる土壌包装体の保管や運搬が容易になる。土壌包装用フィルム１０の短手方向の長さが前記下限値以上であれば、土壌包装用フィルム１０から得られる土壌包装体が充分な量の土壌を包装でき、前記上限値以下であれば、土壌包装用フィルム１０から得られる土壌包装体の保管や運搬が容易になる。
【００１３】
孔１１は、包装した土壌内に種子を埋め込みやすくすると共に、発芽した際に芽を通すために形成されている。
孔１１の孔径は５〜２０ｍｍであることが好ましく、５〜１０ｍｍであることがより好ましい。孔１１の孔径が前記下限値以上であれば、土壌に埋めた種子から発芽した際に芽が土壌包装用フィルム１０に衝突しにくく、前記上限値以下であれば、土壌の漏出をより防ぐことができる。
孔１１の間隔は１０〜１００ｍｍであることが好ましく、１０〜５０ｍｍであることがより好ましい。孔１１の間隔が前記下限値以上であれば、種子から成長した植物同士が接触しにくくなり、前記上限値以下であれば、多量の種子を播種する作業をより効率化できる。
【００１４】
上記土壌包装用フィルムは、例えば、以下の方法により製造される。
すなわち、生分解性樹脂をＴダイ法またはインフレーション法により成形加工してフィルム原反を作製し、そのフィルム原反の短手方向の中央を一定間隔で穿孔する。次いで、穿孔したフィルム原反を６０〜９０℃に加熱し、主延伸方向（通常はフィルム原反の幅方向（横方向））に好ましくは２〜１０倍、より好ましくは２〜６倍に延伸して、土壌包装用フィルムを得る。
【００１５】
＜土壌包装体＞
上記土壌包装用フィルム１０を用いた土壌包装体の一実施形態について説明する。
図２に、本実施形態の土壌包装体を示す。本実施形態の土壌包装体１は、土壌包装用フィルム１０によって形成されたチューブ状の袋状体に土壌２０が充填され、熱収縮処理が施されたものである。
この土壌包装体１は、円筒体に巻き付けて保管・運搬してもよいし、直線状のまま保管・運搬してもよい。また、間欠的に該チューブの横断方向にシールし、該シール部で折り曲げて、平板状、渦巻状、等の所望の形で保管することもできる。また、土壌包装体１は、通常、孔１１が形成されている側が上にされて使用される。
【００１６】
土壌包装体１は、以下の製造例で製造される。
すなわち、本製造例では、まず、土壌包装用フィルム１０の短手方向の両端部同士を重ね、その重ねた部分をヒートシールや溶剤、接着剤等を適用してチューブ状（袋状体）にし、そのチューブに土壌２０を充填する。次いで、開口しているチューブの長手方向の両端を密閉した後、熱収縮処理を施す。その際の熱処理温度としては、５０〜１００℃が好ましい。熱処理温度が前記下限値以上であれば、容易に収縮し、前記上限値以下であれば、土壌包装用フィルム１０の溶融を防止できる。
上記熱処理により土壌包装用フィルム１０を熱収縮させることで、土壌包装体１を得ることができる。
上記土壌包装体１の製造は、播種する現場で行ってもよいが、播種する現場ではない屋外または屋内の作業場や工場で行うこともできる。上記の土壌２０の充填では公知の充填装置を用いることができ、土壌包装用フィルム１０の熱処理には加熱炉を用いることができる。
【００１７】
また、土壌包装体１の製造後には、孔１１を介して種子を土壌２０に埋め込むことができる。種子の埋め込みには、種子挿入用配管を備える種子埋め込み装置を用いることができる。すなわち、孔１１にて露出した土壌２０に種子挿入用配管を突き刺し、種子挿入用配管を介して種子を土壌２０に移送して、種子を土壌２０に埋め込むことができる。また、上記した孔１１の穿孔と種子埋め込みを自動装置により、連続的に行うこともできる。
【００１８】
上記土壌包装体１によれば、孔１１によって露出した土壌２０内に種子を埋め込み、その状態で畑や花壇の土壌の上に配置または土壌の中に埋設することによって播種することができる。１個の土壌包装体１を畑や花壇の土壌の上に配置または土壌の中に埋設することで多数の種子を播種できるから、播種作業を効率化できる。また、上記のように、種子の埋め込みを予め工場や作業場で行えば、屋外となる播種現場での作業負担をより軽減できる。
しかも、土壌包装用フィルム１０を熱収縮処理して、包装した土壌２０に土壌包装用フィルム１０を密着させているため、土壌を強く保持できる。これにより、運搬時等に土壌２０が漏出しにくくなっている。
【００１９】
なお、本発明は、上記実施形態に限定されない。
例えば、本発明の土壌包装用フィルムにおいては、多数の孔が、土壌包装用フィルム１０の長手方向と平行に複数本の直線状に等間隔で形成されてもよいし、土壌包装用フィルムの長手方向と平行に一直線状に不均等な間隔で形成されてもよいし、千鳥状に配置されてもよい。
また、本発明の土壌包装体は、例えば、矩形状の土壌包装用フィルムを袋状に成形し、次いで、土壌を充填し、開口した部分をヒートシールして密閉した後、熱処理を施して、土壌包装用フィルムを収縮させることによって得てもよい。
【符号の説明】
【００２０】
１  土壌包装体
１０  土壌包装用フィルム
１１  孔
２０  土壌
【図１】
2013192469.tif 000003
【図２】
2013192469.tif 000004